(57)【要約】【課題】ヒータを簡単に組み付けることのできるヒータユニットと空調装置とを提供する。【解決手段】ベース枠体２１とカバー枠体５０とヒータ２２とを備えた空調装置用のヒータユニット２０であって、ベース枠体２１とカバー枠体５０とを取り付けることにより、ヒータ２２をベース枠体２１とカバー枠体５０とによって挟持する。【選択図】  図５
2004150730.tif 000002
【特許請求の範囲】
【請求項１】
ベース部とカバー部とヒータとを備えた空調装置用のヒータユニットであって、
前記ベース部とカバー部とを取り付けることにより、前記ヒータをベース部とカバー部とによって挟持することを特徴とする空調装置用のヒータユニット。
【請求項２】
室内の空気を吸気するための吸気口と吸気した空気を前記室内へ戻す吹出口と吸気した空気を加熱するヒータと前記吸気口から空気を吸気して前記吹出口から吹き出させる送風機とを設けた空調装置であって、
前記ヒータを配置するベース部にネジ固定することなく前記ヒータが取り付けられることを特徴とする空調装置。
【請求項３】
室内の空気を吸気するための吸気口と吸気した空気を前記室内へ戻す吹出口と吸気した空気を加熱するヒータと前記吸気口から空気を吸気して前記吹出口から吹き出させる送風機とを設けた空調装置であって、
前記ヒータを固定するベース部とカバー部を設け、
前記ベース部とカバー部とで前記ヒータを挟持することを特徴とする空調装置。
【請求項４】
前記ベース部とカバー部のどちらか一方に前記ヒータの台座の一端側に当接する当接部を設け、他方に前記ヒータの台座の他端側を支持する支持部を設け、
前記当接部と支持部とによって前記台座を挟持してヒータを固定することを特徴とする請求項３に記載の空調装置。
【請求項５】
前記当接部と支持部の少なくともどちらか一方がヒータの長手方向に対して弾性を有することを特徴とする請求項４に記載の空調装置。
【発明の詳細な説明】
【０００１】
【発明の属する技術分野】
この発明は、空調装置用のヒータユニットとヒータを備えた空調装置とに関する。
【０００２】
【従来の技術】
従来から、例えば浴室用換気装置にはヒータを設けたものが知られている（例えば特許文献１参照）。
【０００３】
かかる浴室換気装置は、室内の空気を吸気するための吸気口と吸気した空気を室内へ戻す吹出口とを有する筺体と、吸気口から空気を吸気するとともにこの吸気した空気を吹出口から吹き出させる送風機と、吹出口に設けたヒータとを備えている。ヒータはヒータベースにネジにより固定され、このヒータベースはネジにより筺体に取り付けられている。また、ヒータベースには風路を形成するヒータカバーがネジで固定されている。
【０００４】
【特許文献１】
実開平８−１８９７０７号公報（段落１５、図８）
【０００５】
【発明が解決しようとする課題】
このように、浴室用換気装置にあっては、ヒータをヒータベースにネジによって固定し、このヒータベースをネジによって筺体に取り付けなければならず、さらにヒータベースに風路を形成するヒータカバーをネジで固定しなければならないので、そのヒータの組み付け工数が多く、その組み付けの作業性が非常に悪いという問題があった。
【０００６】
この発明の目的は、ヒータを簡単に組み付けることのできるヒータユニットと空調装置とを提供することにある。
【０００７】
【課題を解決するための手段】
上記目的を達成するため、請求項１の発明は、ベース部とカバー部とヒータとを備えた空調装置用のヒータユニットであって、
前記ベース部とカバー部とを取り付けることにより、前記ヒータをベース部とカバー部とによって挟持することを特徴とする。
【０００８】
請求項２の発明は、室内の空気を吸気するための吸気口と吸気した空気を前記室内へ戻す吹出口と吸気した空気を加熱するヒータと前記吸気口から空気を吸気して前記吹出口から吹き出させる送風機とを設けた空調装置であって、
前記ヒータを配置するベース部にネジ固定することなく前記ヒータが取り付けられることを特徴とする。
【０００９】
請求項３の発明は、室内の空気を吸気するための吸気口と吸気した空気を前記室内へ戻す吹出口と吸気した空気を加熱するヒータと前記吸気口から空気を吸気して前記吹出口から吹き出させる送風機とを設けた空調装置であって、
前記ヒータを固定するベース部とカバー部を設け、
前記ベース部とカバー部とで前記ヒータを挟持することを特徴とする。
【００１０】
請求項４の発明は、前記ベース部とカバー部のどちらか一方に前記ヒータの台座の一端側に当接する当接部を設け、他方に前記ヒータの台座の他端側を支持する支持部を設け、
前記当接部と支持部とによって前記台座を挟持してヒータを固定することを特徴とする。
【００１１】
請求項５の発明は、前記当接部と支持部の少なくともどちらか一方がヒータの長手方向に対して弾性を有することを特徴とする。
【００１２】
【発明の実施の形態】
以下、この発明に係るヒータユニットを空調装置の１つである浴室換気装置に搭載した実施の形態を図面に基づいて説明する。
【００１３】
図１及び図２において、１は浴室換気装置であり、この浴室換気装置１は、浴室の天井Ｔ内に取り付ける筺体２を有している。この筺体２の下面には、浴室内（図示せず）の空気を吸気する吸気口３と浴室内へ風を吹き出す吹出口４とが設けられている。吹出口４内にはヒータユニット２０が取り付けられており、吹出口４から吹き出す空気をそのヒータユニット２０のＰＴＣヒータ（自己温度制御機能付きヒータ）２２（図４参照）によって暖めるようになっている。
【００１４】
本体ケース２の側方には排気口６が設けられており、この排気口６はダクト１６を介して室外に連通されている。本体ケース２内にはダンパＤが設けられており、図２に示す実線位置と破線位置と鎖線位置とに切り換え可能となっている。なお、ダンパＤは任意の中間位置に位置できるように設定してもよい。
【００１５】
ダンパＤは軸Ｊ回りに回動して位置が切り換わるものであり、軸Ｊはヒータユニット２０に設けた軸受部３３，３３の軸受面３３Ａ，３３Ａ（図４参照）に回動自在に保持されている。
【００１６】
ダンパＤの両側縁には下向きのリブＬが形成されており、このリブＬはダンパＤが換気位置（破線位置）に切り換えられているときのダンパＤの側縁と本体ケース２に形成された循環風路４Ａの側壁４ｂとの間の隙間から風が漏れるのを防止するためのものである。
【００１７】
また、一方のリブＬには長孔Ｌａが形成され、この長孔Ｌａにはカム７に設けた突起８が挿入されている。カム７は図示しない電動室に設けたモータによって軸９回りに回転し、このカム７の回転によってダンパＤが軸Ｊ回りに回動するようになっている。
【００１８】
そして、ダンパＤが実線位置（暖房モード位置）に切り換えられると、吸気口３と吹出口４とが循環風路４Ａを介して連通されてセラミックヒータ２２の通電により暖房モードとなり、吸気口３、循環風路４Ａ、そして吹出口４へと空気が流れ、浴室内を暖房する。この状態において、ＰＴＣヒータ２２を非通電にすると、吹出口４から涼しい風が吹き出し、涼風モードとなる。
【００１９】
ダンパＤが破線位置（換気モード位置）に切り換えられると、吸気口３と排気口６とが換気風路５Ａを介して連通されて換気モードとなり、吸気口３、換気風路５Ａ、そして、排気口６へと空気が流れ、すなわち浴室内の空気が室外に流れて浴室内の空気の換気が行われる。また、ダンパＤが中間位置である鎖線位置（乾燥モード位置）に切り換わると、ＰＴＣヒータ２２の通電により乾燥モードとなり、一部の浴室内の湿った空気は吸気口３、換気風路５Ａ、排気口６へと流れて室外へ排出され、代わりに浴室のドアに設けてある吸込口（図示せず）から乾いた空気を取り入れるとともに、吸気口３，循環風路４Ａ、吹出口４へと流れ浴室内の空気は通電されたＰＴＣヒータ２２により加熱されて浴室内の温度が適度に上がり、衣類の乾燥が行えるようになっている。
【００２０】
浴室換気装置１の運転を停止させたときには、ダンパＤが実線位置に切り換えられると共にＰＴＣヒータ２２が非通電状態になるようになっている。
【００２１】
本体ケース２内には図１に示すように遠心ファン（送風機）Ｆが設けられており、この遠心ファンＦによって浴室内の空気を吸気し、その吸気した空気を吹出口４から吹き出させたり、排気口６から排気したりするようになっている。Ｍは遠心ファンＦを回転させるモータである。
［ヒータユニット］
ヒータユニット２０は、図３ないし図５に示すように、ベース枠体（ベース部）２１と、複数のＰＴＣヒータ（ヒータ）２２と、カバー枠体（カバー部）５０とを備えている。
【００２２】
各ＰＴＣヒータ２２には、図６ないし図９に示すように放熱フィン２４が取り付けられており、各セラミックヒータ２２の両端には直方体に形成された樹脂製の台座２５，２６が装着されている。台座２５の右側（図８において）の側方の下部にはセラミックヒータ２２の一端に電気的に接続された電極端子２７が取り付けられており、台座２５の上部（図８において）の中央部にはセラミックヒータ２２の他端に電気的に接続された電極端子２８がその台座２５を貫通して設けられている。
［ベース枠体］
ベース枠体２１は、図１０ないし図１３に示すように、中央部が開口した４角形状の枠体３０を有している。この枠体３０は平板状の４つの枠部３０Ａ〜３０Ｄから構成されている。枠部３０ＢにはダンパＤを回動させるためのモータ（図示せず）を取り付ける基板部（図示せず）の基板部蓋３１が一体形成されている。この基板部蓋３１には穴３１Ｈが形成されている。また、枠部３０Ａの上面にはその枠部３０Ａに沿って壁３２が立設され、この壁３２の両端部には柱状の軸受部３３，３３が形成され、この軸受部３３，３３の上面が円弧状の軸受面３３Ａ，３３Ａとなっている。
【００２３】
枠部３０Ａには下方に突出した一対の台座受部３４が設けられている。この台座受部３４は、図１４に示すように枠部３０Ａから垂下した板状の垂下部３４Ａと、この垂下部３４Ａの下部に上方へ折り返えされた板状の当接部３４Ｂとを有している。この当接部３４Ｂは左右方向（図１４において）に対して弾性を有している。
【００２４】
当接部３４Ｂの前面（図１４において左側）には図１５に示すようにコ字状の突条部３５が形成され、この突条部３５の上辺３５ａがヒータ２２の台座２６の上面２６ａに当接するようになっている。また、突条部３５の側辺３５ｂがその台座２６の側面２６ｂに当接するようになっている。各側辺３５ｂの下部の内側には傾斜面３５ｃが形成されている。当接部３４Ｂは台座２６の前面に２６ｃに当接するようになっている。
【００２５】
また、枠部３０Ａの下面３３ｂの台座受部３４，３４間には半割状のピン３６が設けられており、このピン３６の下部には先端が先細りになった係止部３７が設けられている。
【００２６】
枠部３０Ｃの下面３０ｃには、図１１に示すように枠部３０Ａの台座受部３４，３４に対向する台座当接部３８，３８が形成されている。各台座当接部３８は、図１６に示すように枠部３０Ｃの下面３０ｃから下方に突出した第１突出部３９と第２突出部（当接部）４０とを有している。
【００２７】
第１突出部３９は、図１１に示すように平面視がクランク状に形成され、ヒータ２２の台座２５の前面２５Ａに当接する当接面３９Ａと、その台座２５の側面２５Ｂに当接する当接面３９Ｂとを有している。
【００２８】
第２突出部４０は、平面視がほぼ４角形状の基部４１と、この基部４１の下面から垂下した平面視がＬ字形の当接部４２を有している。当接部４２は、ヒータ２２の台座２５の前面２５Ａに当接する当接面４２Ａと、その台座２５の側面２５Ｄに当接する当接面４２Ｂとを有している。また、基部４１の下面はその台座２５の上面２５Ｅに当接する当接面４１Ａとなっている。
【００２９】
また、枠部３０Ｃの下面３０ｃの台座当接部３８，３８間には図１２および図１６に示すように半割状のピン４３が設けられており、このピン４３の下部には先端が先細りになった係止部４４が設けられている。
［カバー枠体］
カバー枠体５０は、図１７ないし図２１に示すように、上下に開口を有する４角形の筒部５１を有し、この筒部５１の壁部５１Ａの上端に形成したフランジ５２にはベース枠体２１の基板部蓋３１の穴３１Ｈに挿入される支柱５３が立設されている。この支柱５３の上面にはカム７の軸９（図１参照）を回転自在に保持する円弧状の保持面５３Ａが形成されている。カバー枠体５０の下の開口は吹出口４となるものである。
【００３０】
また、筒部５１の壁部５１Ｂの内側には上下に延びた一対の溝Ｍが形成され、この溝Ｍ，Ｍ内に台座保持部５４，５４がそれぞれ形成されている。各台座保持部５４は、溝Ｍの上下方向に対する中間位置（図５参照）から下方に突出した突出片５５と、この突出片５５の下端から折り曲げらて上方に突出した当接片（支持部）５６とを有している。そして、当接片５６，５６はヒータ２２の長手方向（図１７において左右方向）に対して弾性を有している。
【００３１】
当接片５６の前面には、図２０に示すようにコ字状の突条部５７が形成され、この突条部５７の下辺５７ａがヒータ２２の台座２６の下面２６ｄに当接するようになっている。また、突条部５７の側辺５７ｂがその台座２６の側面２６ｂに当接するようになっている。各側辺５７ｂの上部の内側には傾斜面５７ｃが形成されている。当接片５６の前面５６ａは台座２６の前面２６ｃに当接するようになっている。
【００３２】
また、壁部５１Ｂの上端部にはフランジ５８が形成されている。フランジ５８の溝Ｍと溝Ｍとの間の下面にはボス５９が設けられており、このボス５９にはボス孔５９Ａが形成されている。このボス孔５９Ａにはベース枠体２１のピン３６が圧入するようになっている。また、各溝Ｍの壁部Ｍａの外側の下部にはネジ止め用の一対のネジ止片６０，６０が形成されている。
【００３３】
筒部５１の壁部５１Ｄには、図１８に示すようにその壁部５１Ｄの上端から下方へ窪んだ一対の凹部６１，６１が形成され、図２２に示すように各凹部６１の右側（図１８において左側）には段部６２が形成され、各凹部６１の底部６３には溝６４が形成されている。また、段部６２の内側には凹部（支持部）６５が形成され、この凹部６５の側面６５ａがヒータ２２の台座２５の側面２５Ｄ（図８参照）に当接し、その凹部６５の側面６５ｂがその台座２５の前面２５Ａに当接し、凹部６５の底面６５ｃが台座２５の底面２５Ｃに当接するようになっている。
【００３４】
各凹部６１内には、壁部５１Ｄの上端に設けたフランジ６６に連続形成されたフランジ６７が形成され、このフランジ６７と壁部５１Ｄとで段部６２や凹部６５や溝６４などを形成している。
【００３５】
図１８に示すように、凹部６１と凹部６１との間のフランジ６６の下面にはボス６８が形成され、このボス６８にはボス孔６８Ａが形成されている。このボス孔６８Ａにはベース枠体２１のピン４３が圧入するようになっている。また、図１８において、両側のフランジ６６には外方に突出したネジ止片６９，６９が設けられている。また、図１７に示す７０は壁部５１Ｃの上端に設けたフランジである。
［ヒータユニットの組付］
次に、上記のように構成されるヒータユニット２０の組み付け方について説明する。
【００３６】
先ず、ヒータ２２の台座２５をカバー枠体５０の凹部６１に入れて、図２３に示すようにその凹部６１の段部６２の凹部６５にその台座２５の角部を入れ、ヒータ２２の台座２５の底面２５Ｃをその凹部６５の底面６５ｃに当接させて支持させる。そして、ヒータ２２の台座２６を図２４に示すように台座保持部５４の突条部５７の側辺５７ｂ，５７ｂ間に挿入させて、突条部５７の下辺５７ａをその台座２６の下面２６ｄに当接させる。この際、台座保持部５４の当接片５６が弾性を有していることにより、その台座２６の挿入はし易いものとなる。また、その当接片５６の弾性により、台座２５の前面２５Ａをその段部６２の凹部６５の当接面６５ｂに、また当接片５６の前面５６ａは台座２６の前面２６ｃにそれぞれ圧接させることができ、ガタを生じさせることなくヒータ２２を図２５に示すようにカバー枠体５０にセットすることができる。
【００３７】
そして、ヒータ２２の台座２５はカバー枠体５０の凹部６１の底面６５ｃに支持され、ヒータ２２の台座２６はカバー枠体５０の台座保持部５４の下辺５７ａに支持されることになる。
【００３８】
ヒータ２２がカバー枠体５０にセットされると、ヒータ２２の台座２５の側面２５Ｄと底面２５Ｃが段部６２の凹部６５の側面６５ａと底面６５ｃとに当接し、ヒータ２２の台座２６の側面２６ｂ，２６ｂと底面２６ｄが台座保持部５４の突条部５７の側辺５７ｂ，５７ｂと下辺５７ａに当接するので、ヒータ２２はカバー枠体５０に対して位置決めされてセットされることになる。
【００３９】
次に、２つのヒータ２２をセットしたカバー枠体５０の上から図２３ないし図２５に示すようにベース枠体２１を取り付ける。この取り付けの際、カバー枠体５０の支柱５３をベース枠体２１の基板部蓋３１の穴３１Ｈに挿入するとともに、ベース枠体２１の台座受部３４をカバー枠体５０の壁部５１Ｂの溝Ｍに図２４に示すように上から挿入していく。また、図２３に示すようにベース枠体２１の台座当接部３８をカバー枠体５０の壁部５１Ｄの凹部６１内に入れていく。そして、ベース枠体２１のピン３６，４３をカバー枠体５０のボス孔５９Ａ，６８Ａに圧入していく。
【００４０】
この圧入により、図２６ないし図２８に示すようにベース枠体２１のピン３６，４３の係止部３７，４４がボス孔５９Ａ，６８から突出してボス５９，６８に係止する。この係止によりベース枠体２１はカバー枠体５０に取り付けられることになる。
【００４１】
ベース枠体２１がカバー枠体５０に取り付けられると、ベース枠体２１の台座当接部３８の第１突出部３９の当接面３９Ａ，３９Ｂがヒータ２２の台座２５の前面２５Ａと側面２５Ｂに当接し、第２突出部４０の当接面４１Ａ，４２Ａが台座２５の上面２５Ｅと前面２５Ａに当接する。
【００４２】
また、ベース枠体２１の台座受部３４の上辺３５ａと側辺３５ｂがヒータ２２の台座２６の上面２６ａと側面２６ｂに当接する。
【００４３】
このように、ヒータ２２の台座２５の上面２５Ｅにベース枠体２１の第２突出部４０の当接面４１Ａが当接し、ヒータ２２の台座２６の上面２６ａにベース枠体２１の台座受部３４の上辺３５ａが当接する。
【００４４】
また、台座受部３４の当接部３４Ｂはヒータ２２の台座２６の前面２６ｃに当接する。台座受部３４の当接部３４Ｂは弾性を有しているので、台座受部３４の側辺３５ｂ，３５ｂ間にヒータ２２の台座２６を挿入し易いものとなる。さらに、その当接部３４Ｂが弾性を有していることにより、その当接部３４Ｂがヒータ２２の台座２６の前面２６ｃに、第２突出部４０の当接面４２Ａが台座２５の前面２５Ａにそれぞれ圧接することになり、ヒータ２２はガタつくことなくベース枠体２１に固定されることになる。
【００４５】
そして、上述のようにヒータ２２の台座２５はカバー枠体５０の凹部６１の底面６５ｃに支持され、ヒータ２２の台座２５の上面２５Ｅにベース枠体２１の第２突出部４０の当接面４１Ａが当接することにより、ヒータ２２の台座２５はカバー枠体５０の台座保持部５４とベース枠体２１の台座受部３４とによって挟持されることになる。また、ヒータ２２の台座２６はカバー枠体５０の台座保持部５４の下辺５７ａに支持され、ヒータ２２の台座２６の上面２６ａにベース枠体２１の台座受部３４の上辺３５ａが当接することにより、ヒータ２２の台座２６はカバー枠体５０の凹部６１とベース枠体２１の第２突出部４０とによって挟持されることになる。
【００４６】
上述のように、カバー枠体５０にベース枠体２１を取り付ければ、ヒータ２２の台座２５，２６がカバー枠体５０の台座保持部５４および凹部６１と、ベース枠体２１の台座受部３４および第２突出部４０とによって挟持されるので、ヒータユニット２０の組み付け、すなわちヒータ２２の取り付けは至って簡単に行うことができる。
【００４７】
ヒータユニット２０の組み付けが終了したら、このヒータユニット２０を浴室換気装置１の筺体２に取り付けたダンパケース（図示せず）に固定する。この取り付けは、カバー枠体５０のネジ止片６０，６０，６９，６９をダンパケースにネジ止めすることにより行う。なお、ダンパーケースは筺体２に一体に形成してもよい。
【００４８】
このように、カバー枠体５０にベース枠体２１を取り付けて、カバー枠体５０をネジ止めするだけでよいので、そのヒータ２２の組み付け工数は非常に少いものとなり、その組み付けの作業性は向上し、コストの削減を図ることができる。
【００４９】
上記実施形態では、ヒータユニット２０を換気装置１の筺体２のダンパーケースに取り付けているが、必ずしもヒータユニット２０を構成する必要はなく、例えば、ベース枠体２１と同様な構造をダンパケースに設けておき、カバー枠体５０をダンパーケースに取り付けることにより、ヒータ２２を挟持するようにしてもよい。また、ヒータユニット２０をダンパーケースに取り付ける必要はなく、他の部材であってもよいし、直接筺体２に取り付けるようにしてもよい。
【００５０】
【発明の効果】
以上説明したように、この発明によれば、ヒータの組み付けを簡単に行うことができる。
【図面の簡単な説明】
【図１】この発明に係るヒータユニットを搭載した浴室換気装置を示した断面図である。
【図２】図１に示す浴室換気装置のフロントパネルを外した底面図である。
【図３】ヒータユニットを示した側面図である。
【図４】ヒータユニットを示した平面図である。
【図５】ヒータユニットを分解した側断面図である。
【図６】ヒータを示した平面図である。
【図７】ヒータを示した側面図である。
【図８】図７に示すヒータの右側面図である。
【図９】図７に示すヒータの右側面図である。
【図１０】ベース枠体を示した平面図である。
【図１１】図１０のベース枠体の底面図である。
【図１２】ベース枠体の正面図である。
【図１３】ベース枠体の左側面図である。
【図１４】ベース枠体の断面図である。
【図１５】ベース枠体の枠部を内側から見た部分拡大図である。
【図１６】ベース枠体の枠部を内側から見た部分拡大図である。
【図１７】カバー枠体を示した平面図である。
【図１８】図１７のカバー枠体の右側面図である。
【図１９】カバー枠体の正面図である。
【図２０】図１７のＡ−Ａ線に沿う断面図である。
【図２１】図１７のＢ−Ｂ線に沿う断面図である。
【図２２】カバー枠体の部分拡大斜視図である。
【図２３】カバー枠体の凹部にベース枠体の台座当接部を入れる前の状態を示した説明図である。
【図２４】カバー枠体５の溝にベース枠体の台座受部を入れる前の状態を示した説明図である。
【図２５】ヒータをセットしたカバー枠体にベース枠体を取り付ける前の状態を示した説明図である。
【図２６】カバー枠体の凹部にベース枠体の台座当接部を入れた状態を示した説明図である。
【図２７】カバー枠体５の溝にベース枠体の台座受部を入れた状態を示した説明図である。
【図２８】ヒータユニットを組み付けた状態を示した断面図である。
【符号の説明】
１                浴室換気装置
２                筺体
３                吸気口
４                吹出口
６                排気口
７                カム
８                突起
９                軸
２０                ヒータユニット
２１                ベース枠体
２２                ヒータ
２３                側壁枠
２４                放熱フィン
２５，２６      台座
２７，２８      電極端子
３０                枠体
３０Ａ〜３０Ｄ        枠部
３１                基板部蓋
３１Ｈ            穴
３２                壁
３３                軸受部
３３Ａ            軸受面
３４                台座受部
３４Ｂ            当接部
３６                ピン
３５                突条部
３５ａ            上辺
３５ｂ            側辺
３７                係止部
３８                台座当接部
３９                第１突出部
４０                第２突出部（当接部）
４１                基部
４２                当接部
５０                カバー枠体
５１                筒部
５２                フランジ
５３                支柱
５４                台座保持部
５５                突出片
５６                当接片（支持部）
５７                突条部
５８                フランジ
５９                ボス
６０                ネジ止片
６１                凹部
６２                段部
６３                底部
６４                溝
６５                凹部（支持部）
６６，６７      フランジ
６８                ボス
６９                ネジ止片
７０                フランジ
Ｍ                    モータ
Ｆ                    遠心ファン
Ｄ                    ダンパ
【図１】
2004150730.tif 000003
【図２】
2004150730.tif 000004
【図３】
2004150730.tif 000005
【図４】
2004150730.tif 000006
【図５】
2004150730.tif 000007
【図６】
2004150730.tif 000008
【図７】
2004150730.tif 000009
【図８】
2004150730.tif 000010
【図９】
2004150730.tif 000011
【図１０】
2004150730.tif 000012
【図１１】
2004150730.tif 000013
【図１２】
2004150730.tif 000014
【図１３】
2004150730.tif 000015
【図１４】
2004150730.tif 000016
【図１５】
2004150730.tif 000017
【図１６】
2004150730.tif 000018
【図１７】
2004150730.tif 000019
【図１８】
2004150730.tif 000020
【図１９】
2004150730.tif 000021
【図２０】
2004150730.tif 000022
【図２１】
2004150730.tif 000023
【図２２】
2004150730.tif 000024
【図２３】
2004150730.tif 000025
【図２４】
2004150730.tif 000026
【図２５】
2004150730.tif 000027
【図２６】
2004150730.tif 000028
【図２７】
2004150730.tif 000029
【図２８】
2004150730.tif 000030